(57)【要約】  【課題】ガラス基板上にゲートドライバ回路を備えたディスプレイ装置において、オーバードライブ技術を適用可能とし、それにより液晶応答速度を向上可能にする。  【解決手段】ゲートドライバ回路７は、表示パネルのガラス基板上に形成され、複数のゲートラインＧＬにそれぞれ接続された複数のゲートドライバユニット１３を有する。制御回路９は、ゲートドライバ回路７を制御して複数のゲートドライバユニット１３に複数のゲートラインＧＬを順次駆動させる。制御回路９は、各ライン期間に含まれる第１期間に一のゲートラインＧＬを駆動し、各ライン期間に含まれる第２期間に他のゲートラインＧＬを駆動する。制御回路９は、第２期間における各ゲートラインＧＬの駆動を前記第１期間における同ゲートラインＧＬの駆動から複数のゲートライン分遅れて生じさせる。【選択図】  図１
2008197324.tif 000002
【特許請求の範囲】
【請求項１】
ガラス基板上に形成された複数のゲートラインおよび複数のデータラインを有するディスプレイ装置であって、
前記ガラス基板上に形成され、前記複数のゲートラインにそれぞれ接続された複数のゲートドライバユニットを有するゲートドライバ回路と、
前記ゲートドライバ回路を制御して前記複数のゲートドライバユニットに前記複数のゲートラインを順次駆動させる制御回路と、
を備え、
前記制御回路は、各ライン期間に含まれる第１期間に一のゲートラインを駆動し、前記各ライン期間に含まれる第２期間に他のゲートラインを駆動し、前記第２期間における各ゲートラインの駆動を前記第１期間における同ゲートラインの駆動から複数のゲートライン分遅れて生じさせることを特徴とするディスプレイ装置。
【請求項２】
前記制御回路は、前記第１期間と前記第２期間にて駆動対象である異なるゲートラインに接続された異なるゲートドライバユニットにゲート制御パルスを供給し、前記各ゲートドライバユニットはシフトレジスタを有し、前記シフトレジスタは、一つ前のゲートラインの駆動時にチャージされ、チャージ状態で前記制御回路からゲート制御パルスが入力されると前記ゲートラインを駆動することを特徴とする請求項１に記載のディスプレイ装置。
【請求項３】
前記複数のデータラインに接続されたデータドライバ回路を含み、前記データドライバ回路は、前記複数のデータラインの各々に、前記第１期間にオーバードライブ電圧を供給し、前記第２期間に画像データに応じたターゲット電圧を供給することを特徴とする請求項１に記載のディスプレイ装置。
【請求項４】
ガラス基板上に形成された複数のゲートラインおよび複数のデータラインを有するディスプレイ装置であって、
前記ガラス基板上に形成され、前記複数のゲートラインにそれぞれ接続された複数のゲートドライバユニットを有するゲートドライバ回路と、
前記ゲートドライバ回路を制御して前記複数のゲートドライバユニットに前記複数のゲートラインを順次駆動させる制御回路と、
を備え、
前記制御回路は、各ライン期間内に設定された複数の異なる期間に異なるゲートラインを駆動し、一のゲートラインの駆動を前記複数の異なる期間で複数のライン分ずれさせることを特徴とするディスプレイ装置。
【請求項５】
ガラス基板上に形成された複数のゲートラインおよび複数のデータラインと、前記ガラス基板上に形成され、前記複数のゲートラインにそれぞれ接続された複数のゲートドライバユニットを有するゲートドライバ回路と、を有するディスプレイ装置の駆動方法であって、
前記ゲートドライバ回路を制御して前記複数のゲートドライバユニットに前記複数のゲートラインを順次駆動させ、
各ライン期間に含まれる第１期間に一のゲートラインを駆動し、前記各ライン期間に含まれる第２期間に他のゲートラインを駆動し、前記第２期間における各ゲートラインの駆動を前記第１期間における同じゲートラインの駆動から複数のゲートライン分遅れて生じさせることを特徴とするディスプレイ装置の駆動方法。
【請求項６】
ガラス基板上に形成された複数のゲートラインおよび複数のデータラインと、前記ガラス基板上に形成され、前記複数のゲートラインにそれぞれ接続された複数のゲートドライバユニットを有するゲートドライバ回路と、を有するディスプレイ装置の駆動方法であって、
前記ゲートドライバ回路を制御して前記複数のゲートドライバユニットに前記複数のゲートラインを順次駆動させ、
各ライン期間内に設定された複数の異なる期間に異なるゲートラインを駆動し、一のゲートラインの駆動を前記複数の異なる期間で複数のライン分ずれさせることを特徴とするディスプレイ装置の駆動方法。
【発明の詳細な説明】
【技術分野】
【０００１】
本発明は、ガラス基板上に形成されるゲートドライバ回路を有するディスプレイ装置に関し、特に、オーバードライブを行う場合に適したゲートドライブ技術に関する。
【背景技術】
【０００２】
従来、アクティブマトリクスディスプレイ装置においては、複数のゲートラインと複数のデータラインがガラス基板上に設けられて、多数の画素がマトリクス状に配置されている。複数のゲートラインは、ゲートドライバ回路によって順次駆動される。
【０００３】
従来のディスプレイ装置の一つとして、ガラス基板上の表示領域の隣接領域に形成されたアモルファスシリコンのゲートドライバ回路を備えたディスプレイ装置が知られている。この種のディスプレイ装置では、ゲートドライバ回路がシフトレジスタ構造を有しており、１フレーム期間に各ゲートラインを１回ずつ駆動するように構成されている。
【０００４】
このようなディスプレイ装置は、配線本数を削減できるメリットを有するが、反面、ゲートドライバ回路において複数のシフトレジスタが直列に接続されており、１フレーム期間に各ゲートラインを複数回駆動するのが容易でなかった。
【０００５】
このことは、オーバードライブ技術を適用する場合に問題になる。オーバードライブ技術は、液晶応答速度を改善する技術である。オーバードライブ技術では、各画素が、ターゲット電圧より高いオーバードライブ電圧で駆動され、それから、所望の液晶透過率に応じたターゲット電圧で駆動される。しかしながら、従来のガラス基板上のアモルファスシリコンゲートドライバ回路を備えるディスプレイ装置は、１フレームに各ゲートラインを１回ずつ駆動するように構成されており、上記のようなオーバードライブ技術に適していなかった。
【０００６】
オーバードライブ技術を適用するために、通常駆動の２倍の速さでゲートドライバ回路を作動させることも考えられる。しかしながら、オーバードライブ電圧での駆動が可能になったとしても、オーバードライブ電圧での駆動からターゲット電圧での駆動までの期間が固定されてしまい、駆動間隔を任意の適切な長さに設定することはできない。
【０００７】
また、シフトレジスタの数を２倍にすることも考えられる。しかし、回路規模が増大してしまうという問題がある。
【０００８】
従来のオーバードライブ技術は例えば特許文献１に開示されている。
【特許文献１】特開２００３−１６２２５６号公報
【発明の開示】
【発明が解決しようとする課題】
【０００９】
本発明は、上記背景の下でなされたものであり、その目的は、ガラス基板上にゲートドライバ回路を備えたディスプレイ装置であって、オーバードライブ技術を適用可能であり、それにより液晶応答速度を向上可能なディスプレイ装置を提供することにある。
【課題を解決するための手段】
【００１０】
本発明の一態様は、ガラス基板上に形成された複数のゲートラインおよび複数のデータラインを有するディスプレイ装置であって、前記ガラス基板上に形成され、前記複数のゲートラインにそれぞれ接続された複数のゲートドライバユニットを有するゲートドライバ回路と、前記ゲートドライバ回路を制御して前記複数のゲートドライバユニットに前記複数のゲートラインを順次駆動させる制御回路と、を備え、前記制御回路は、各ライン期間に含まれる第１期間に一のゲートラインを駆動し、前記各ライン期間に含まれる第２期間に他のゲートラインを駆動し、前記第２期間における各ゲートラインの駆動を前記第１期間における同ゲートラインの駆動から複数のゲートライン分遅れて生じさせる。
【００１１】
本発明の別の態様は、ガラス基板上に形成された複数のゲートラインおよび複数のデータラインを有するディスプレイ装置であって、前記ガラス基板上に形成され、前記複数のゲートラインにそれぞれ接続された複数のゲートドライバユニットを有するゲートドライバ回路と、前記ゲートドライバ回路を制御して前記複数のゲートドライバユニットに前記複数のゲートラインを順次駆動させる制御回路と、を備え、前記制御回路は、各ライン期間内に設定された複数の異なる期間に異なるゲートラインを駆動し、一のゲートラインの駆動を前記複数の異なる期間で複数のライン分ずれさせる。
【００１２】
本発明の別の態様は、ガラス基板上に形成された複数のゲートラインおよび複数のデータラインと、前記ガラス基板上に形成され、前記複数のゲートラインにそれぞれ接続された複数のゲートドライバユニットを有するゲートドライバ回路と、を有するディスプレイ装置の駆動方法であって、前記ゲートドライバ回路を制御して前記複数のゲートドライバユニットに前記複数のゲートラインを順次駆動させ、各ライン期間に含まれる第１期間に一のゲートラインを駆動し、前記各ライン期間に含まれる第２期間に他のゲートラインを駆動し、前記第２期間における各ゲートラインの駆動を前記第１期間における同じゲートラインの駆動から複数のゲートライン分遅れて生じさせる。
【００１３】
本発明の別の態様は、ガラス基板上に形成された複数のゲートラインおよび複数のデータラインと、前記ガラス基板上に形成され、前記複数のゲートラインにそれぞれ接続された複数のゲートドライバユニットを有するゲートドライバ回路と、を有するディスプレイ装置の駆動方法であって、前記ゲートドライバ回路を制御して前記複数のゲートドライバユニットに前記複数のゲートラインを順次駆動させ、各ライン期間内に設定された複数の異なる期間に異なるゲートラインを駆動し、一のゲートラインの駆動を前記複数の異なる期間で複数のライン分ずれさせる。
【発明の効果】
【００１４】
本発明は、ガラス基板上にゲートドライバ回路を備えたディスプレイ装置において、１フレーム期間に各ゲートラインを複数回駆動することができ、これにより、オーバードライブ技術を適用して液晶応答速度を向上することが可能になる。
【発明を実施するための最良の形態】
【００１５】
以下に本発明の詳細な説明を述べる。ただし、以下の詳細な説明と添付の図面は発明を限定するものではない。代わりに、発明の範囲は添付の請求の範囲により規定される。
【００１６】
図１は、本実施の形態に係るディスプレイ装置の構成を示している。ディスプレイ装置１は、表示部３、データドライバ回路５、ゲートドライバ回路７および制御回路９を備えている。
【００１７】
表示部３は、互いに交差した多数のデータラインＤＬと多数のゲートラインＧＬを有している。それら多数のデータラインＤＬと多数のゲートラインＧＬの各交差点に画素が形成されており、これにより多数の画素がマトリクス状に配置されている。
【００１８】
データドライバ回路５は、表示すべき画像に応じたデータ電圧を複数のデータラインＤＬに供給する回路である。データドライバ回路５は、複数のデータラインＤＬにそれぞれ接続された複数のデータドライバユニット１１を有しており、各データドライバユニット１１が、接続されたデータラインＤＬへと必要なデータを供給する。
【００１９】
ゲートドライバ回路７は、複数のゲートラインＧＬを順次駆動していく回路である。ゲートドライバ回路７は、複数のゲートラインＧＬにそれぞれ接続された複数のゲートドライバユニット１３を有しており、各ゲートドライバユニット１３がシフトレジスタを有しており、ゲートラインＧＬにゲート駆動信号を供給し、これによりゲートラインＧＬを駆動する。ゲート駆動信号もパルス状の信号であり、ゲートパルスと呼ばれることもある。
【００２０】
制御回路９は、ＣＰＵ１５から供給される画像データに応じてデータドライバ回路５およびゲートドライバ回路７を制御し、これにより画像を表示部３に表示させる。
【００２１】
制御回路９は、ゲートドライバ回路７を制御するためにゲート制御パルス供給部１７を有している。ゲート制御パルス供給部１７は、ゲート制御パルスをゲートドライバ回路７の複数のゲートドライバユニット１３に順次供給する。各ゲートドライバユニット１３は、ゲート制御パルスに応答してゲートラインＧＬを駆動し、これにより複数のゲートラインＧＬが順次駆動される。
【００２２】
図２は、ディスプレイ装置１に備えられるディスプレイパネル２１を示している。ディスプレイパネル２１においては、２枚のガラス基板の間に液晶が封入されている。ディスプレイパネル２１には表示領域２３が設けられている。表示領域２３においては、一方のガラス基板上に、前述した多数のデータラインＤＬと多数のゲートラインＧＬが形成されている。また、各画素が、画素電極およびトランジスタを含む回路で構成されている。
【００２３】
図２に示すように、本実施の形態では、表示領域２３の隣接領域にゲートドライバ回路７が設けられている。ゲートドライバ回路７は、ガラス基板上に形成されたアモルファスシリコンの回路で構成されている。
【００２４】
図３は、ゲートドライバ回路７の構成をより詳細に示している。図３は、ゲートドライバ回路７の一部であり、１番目から９番目のゲートドライバユニット１３を示している。ここでは、ゲートドライバユニット１３を単にゲートドライバ１３と呼ぶ。また、ｎ番のゲートドライバを第ｎゲートドライバ１３−ｎと呼ぶ。
【００２５】
図３に示すように、本実施の形態の例では、６相駆動が適用されており、ゲート制御パルスＰ１〜Ｐ６が異なるパルス供給線を介して制御回路９から供給される（各パルス供給線は、後述するように物理的には反転信号用の１対の線である）。以下の説明では、ｎ番のゲート制御パルスを単にパルスＰｎと呼ぶ。順次並んだ６つのゲートドライバ１３は、パルスＰ１〜Ｐ６の６つのパルス供給線にそれぞれ接続される。すなわち、最初の６つのゲートドライバ１３（第１〜第６）が、パルスＰ１〜Ｐ６のパルス供給線にそれぞれ接続される。次の６つのゲートドライバ１３（第７〜第１２）も、パルスＰ１〜Ｐ６のパルス供給線にそれぞれ接続される（図は第７〜第９ゲートドライバのみを示している）。このような接続が以降のゲートドライバ１３についても繰り返される。
【００２６】
各ゲートドライバ１３はシフトレジスタで構成されている。そして、このシフトレジスタのハイノード（Ｈｉｇｈ  ｎｏｄｅ）のチャージが、一つ前段（一つ上側）のゲートドライバがゲート制御パルスによって選択されて作動（有効化）しているときに行われる。チャージ状態でゲート制御パルスが入力されると、ゲートドライバ１３が選択され、ゲート駆動信号をゲートラインＧＬに供給する。以下、ゲートドライバ１３のシフトレジスタのハイノードのチャージを、単にゲートドライバのチャージという。
【００２７】
図３の例では、太線で示されるように、第２ゲートドライバ１３−２にパルスＰ２が入力されており、第２ゲートドライバ１３−２が選択され、ゲート駆動信号を出力す。このとき、第３ゲートドライバ１３−３がチャージされる。図示されないが、次に、チャージ状態の第３ゲートドライバ１３−３にパルスＰ３が入力されると、第３ゲートドライバ１３−３が選択される。このときは、第４ゲートドライバ１３−４がチャージされる。このようにして、パルスＰ１〜Ｐ６が順次入力されると、上方から下方へゲートドライバ１３が順次選択される。
【００２８】
図４は、ゲートドライバ１３の接続をより詳細に示している。図４では、上下のに並んだ３つのゲートドライバが示されている。ここでは、３つのゲートドライバを、ゲートドライバｎ−１、ｎ、ｎ＋１と呼ぶ。
【００２９】
３つのゲートドライバｎ−１、ｎ、ｎ＋１は、３つの異なるパルス供給線に接続されている。各パルス供給線は、物理的には１対の線を有しており、反転する１対の信号を入力する。具体的には、パルスＰｎ−１、ｉｎｖＰｎ−１がゲートドライバｎ−１に供給され、パルスＰｎ、ｉｎｖＰｎがゲートドライバｎに供給され、パルスＰｎ＋１、ｉｎｖＰｎ＋１がゲートドライバｎ＋１に供給される。
【００３０】
図示のように、上下に隣接するゲートドライバでは、同じ端子に反対のパルスが入力される。例えば、ゲートドライバｎ−１では下の端子にパルスＰｎ−１が入力される。これに対して、ゲートドライバｎでは上の端子にパルスＰｎが入力される。さらに、ゲートドライバｎ＋１では下の端子にパルスＰｎ＋１が入力される。
【００３１】
図４では、説明を分かりやすくするために３対のパルス供給線が示されている。しかし、実際には図３を用いて説明したように、６対のパルス供給線、すなわち１２本の線、が設けられる。
【００３２】
また、図４に示されように、ゲートドライバｎ−１、ｎ、ｎ＋１も互いに接続されている。ゲートドライバｎ−１の出力が、ゲートドライバｎに供給される。ゲートドライバｎの出力は、ゲートドライバｎ−１、ｎ＋１に供給される。ゲートドライバｎ−１の出力もゲートドライバｎに供給される。
【００３３】
このような構成により、ゲートドライバがシフトレジスタとして好適に機能する。ゲートドライバｎ−１がパルスＰｎ−１、ｉｎｖＰｎ−１の入力によって選択されたときに、ゲートドライバｎがチャージされる。そして、チャージ状態でパルスＰｎ、ｉｎｖＰｎが入力されると、ゲートドライバｎが選択される。
【００３４】
上記のように実際のゲート制御パルスは反転信号であり、１対の線から供給される１対のパルスＰｎ、ｉｎｖＰｎである。しかし、以下では、説明を分かりやすくするために、図３での表現と同様に、これら１対のパルスＰｎ、ｉｎｖＰｎを、単にパルスＰｎという。
【００３５】
次に、本実施の形態のディスプレイ装置１の動作を説明する。全体的な動作概要としては、制御回路９が、ＣＰＵ１５から供給される画像データを表示するようにデータドライバ回路５およびゲートドライバ回路７を制御する。ゲートドライバ回路７は、複数のゲートラインＧＬに順次ゲート駆動信号を出力して、それら複数のゲートラインＧＬを順次駆動する。データドライバ回路７は、各ゲートラインＧＬが駆動されているときに、複数のデータラインＤＬへとデータの電圧信号を供給する。
【００３６】
本実施の形態では、オーバードライブ技術が提供されている。各ゲートラインＧＬは１フレームに２回駆動される。１回目に各ゲートラインＧＬが駆動されるとき、データドライバ回路５は各画素へとオーバードライブ電圧を供給する。２回目に各ゲートラインＧＬが駆動されるときは、データドライバ回路５は各画素へとターゲット電圧を供給する。ターゲット電圧が、表示すべき画像に応じた電圧であり、必要な液晶透過率に応じた電圧である。オーバードライブ電圧はターゲット電圧より高く設定されている。
【００３７】
次に、本実施の形態に特徴的な、ゲートドライブ動作について説明する。本実施の形態では、以下に説明するように、オーバードライブ技術を実現するために、１フレーム期間に各ゲートラインＧＬが２回駆動される。
【００３８】
図５は、ゲートドライバ１３の選択（作動）とゲートドライバ１３のチャージを時系列に沿って示している。また、図６は、ゲート制御パルスの供給とゲートラインの駆動を時系列で示している。
【００３９】
図５および図６において、横軸は時間軸である。時間軸上には、連続する複数のライン期間（Ｌｉｎｅ  ｃｙｃｌｅ  ｔｉｍｅ）が設定されており、所定数のライン期間によってフレーム期間が構成される。各ライン期間には、第１期間と第２期間が設定されている。第１期間が前半の期間であり、第２期間が後半の期間であり、互いに重ならないようにずれている。以下では、各ライン期間は、図示の如くＬ１、Ｌ２・・・といった符号を付けて表す。また、第１期間、第２期間は、図示のように符号（−１、−２）を付けて表す。例えば、ライン期間Ｌ２の第１期間は、Ｌ２−１である。
【００４０】
また、図５において、ゲートドライバＧＤ１〜ＧＤ９は、図３の第１〜第９ゲートドライバ１３−１〜１３−ｎに対応する。また、図６において、Ｇ１〜Ｇ９は、ＧＤ１〜ＧＤ９に接続されるゲートラインＧＬを示している。さらに、図５および図６において、Ｐ１〜Ｐ６は、図３と同様のゲート制御パルスである。さらに、Ｓ１はスタートパルスであり、１連のゲート駆動の開始時に第１ゲートドライバＧＤ１に制御回路９から入力される。
【００４１】
以下、図５および図６の例を用いてゲート駆動動作を説明する。まず、図５を参照すると、ゲート駆動が既に始まっており、ライン期間Ｌ２、第１期間Ｌ２−１において、第２ゲートドライバＧＤ２が、パルスＰ２によって選択され、作動する。そして、第２ゲートドライバＧＤ２の選択に伴い、第３ゲートドライバＧＤ３がチャージされる。パルスＰ２は第８ゲートドライバＧＤ８にも入力されるが、第８ゲートドライバＧＤ８はまだチャージされていないので作動しない。次の第２期間Ｌ２−２では、パルスが入力されず、第３ゲートドライバＧＤ３のチャージ状態が維持される。
【００４２】
次に、ライン期間Ｌ３、第１期間Ｌ３−１では、パルスＰ３が第３ゲートドライバＧＤ３に供給されて、第３ゲートドライバＧＤ３が選択され、第４ゲートドライバＧＤ４がチャージされる。次の第２期間Ｌ３−２では、第４ゲートドライバＧＤ４のチャージ状態が維持される。
【００４３】
次に、ライン期間Ｌ４、第１期間Ｌ４−１では、制御装置９からスタートパルスＳ１が第１ゲートドライバＧＤ１に入力され、第１ゲートドライバＧＤ１がチャージされる。また、パルスＰ４が第４ゲートドライバＧＤ４に入力されて、第４ゲートドライバＧＤ４が選択され、第５ゲートドライバＧＤ５がチャージされる。次に、第２期間Ｌ４−２において、第５ゲートドライバＧＤ５の選択前に、第１ゲートドライバＧＤ１がパルスＰ１のの供給によって選択され、第２ゲートドライバＧＤ２がチャージされる。
【００４４】
こうして、制御装置９からのパルス供給によりゲートドライバ回路７が制御されて、第１期間を利用したゲートドライブに加えて、第２期間を利用したゲートドライブが遅れて開始する。
【００４５】
次に、ライン期間Ｌ５、第１期間Ｌ５−１では、第１ゲートドライバＧＤ１が非選択（無効化）になった後、パルスＰ５が第５ゲートドライバＧＤ５に供給されて、第５ゲートドライバＧＤ５が選択され、第６ゲートドライバＧＤ６がチャージされる。このとき、第２ゲートドライバＧＤ２のチャージ状態は維持される。
【００４６】
次に、ライン期間Ｌ５、第２期間Ｌ５−２では、パルスＰ２が第２ゲートドライバＧＤ２に供給されて、第２ゲートドライバＧＤ２が選択され、第３ゲートドライバＧＤ３がチャージされる。このとき、第６ゲートドライバＧＤ６のチャージ状態は維持される。
【００４７】
次に、ライン期間Ｌ６、第１期間Ｌ６−１では、パルスＰ６が第６ゲートドライバＧＤ６に供給されて、第６ゲートドライバＧＤ６が選択され、第７ゲートドライバＧＤ７がチャージされる。このとき、第３ゲートドライバＧＤ３のチャージ状態は維持される。
【００４８】
上記の動作が継続して行われる。第１期間および第２期間の各々で、パルスＰ１〜Ｐ６の供給が繰り返され、下方のゲートドライバも順次選択される。これにより、図６に示されるように、各ライン期間の第１期間を利用して、複数のゲートラインＧＬが順次駆動される（第１ドライブ）。さらに、各ライン期間の第２期間を利用して、複数のゲートラインＧＬが順次駆動される（第２ドライブ）。第２ドライブは、第１ドライブよりも所定の複数ライン分遅れて行われ、本実施の形態の例では３ライン分遅れて行われる。
【００４９】
第１ドライブでは、オーバードライブ電圧がデータラインＤＬを介して各画素に供給される。第２ドライブでは、ターゲット電圧がデータラインＤＬを介して各画素に供給される。これによりオーバードライブ技術が実現され、液晶応答速度が向上する。
【００５０】
また、本実施の形態では、スタートパルスＳ１の供給タイミングの調整により、第１駆動と第２駆動との駆動時間間隔（遅れ）を任意に設定することができる。これにより、オーバードライブ電圧とターゲット電圧での駆動間隔を適切な大きさに設定できる。
【００５１】
この点を従来技術と比較して説明する。従来技術では、オーバードライブを実現するために、２倍の速さで２回のゲートドライブを行うことが提案されている。この場合、１回目のゲート駆動が完了してから、２回目のゲート駆動が開始する。この従来の方法でもオーバードライブが可能である。しかし、オーバードライブ電圧とターゲット電圧での駆動間隔は任意に設定できず、液晶側から要求される適切な大きさに設定できない。これに対して、本実施の形態によれば、オーバードライブ電圧とターゲット電圧での駆動間隔を任意の適当な大きさに設定できる。
【００５２】
次に、本実施の形態の応用例について説明する。
【００５３】
本発明は、３ステップ−オーバードライブ技術にも適用可能である。この場合、上述の例のオーバードライブ電圧とターゲット電圧の他に、プレドライブ電圧が用いられる。プレドライブ電圧は、オーバードライブ電圧より前に供給される。
【００５４】
３ステップ−オーバードライブ技術を適用する場合、ライン期間が３つに分けられる。具体的には、上述の第１期間、第２期間の前に、プレドライブ期間が設定される。そして、プレドライブ期間にプレドライブが行われる。プレドライブは、第１期間を用いた第１ドライブより先行して行われる。第１ドライブから遅れて第２ドライブが行われたのと同じようにプレドライブから遅れて第１ドライブが行われる。
【００５５】
上述のように、本発明の範囲で、各フレーム期間に３回以上各ゲートラインＧＬが駆動されてよく、これにより例えば上記の３ステップ−オーバードライブ技術も本発明の範囲内で実現できる。
【００５６】
その他、本実施の形態のディスプレイ装置１は、上記の複数回のドライブ機能を制限して、１フレーム期間に各ゲートラインを１回ずつ駆動するように使われてもよい。また、本発明は上記の６相駆動タイプに限定されなくてよい。
【００５７】
以上に本発明の実施の形態について説明した。上述したように、本発明によれば、ガラス基板上にゲートドライバ回路を備えたディスプレイ装置において、１フレーム期間に各ゲートラインを複数回駆動することができ、これにより、オーバードライブ技術を適用して液晶応答速度を向上することが可能になる。
【００５８】
また、本発明によれば、各ゲートラインの複数回の駆動の間隔を任意に設定することができる。例えば、オーバードライブを行う場合に、オーバードライブ電圧とターゲット電圧での駆動間隔を適切な時間に設定することができる。
【００５９】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００６０】
本発明にかかるディスプレイ装置は、コンピュータ、携帯端末装置などの薄型ディスプレイ装置として有用である。
【図面の簡単な説明】
【００６１】
【図１】本発明の実施の形態に係るディスプレイ装置の構成を示す図である。
【図２】ディスプレイ装置の表示パネルを示す図である。
【図３】ゲートドライバ回路の構成を示す図である。
【図４】ゲートドライバ回路の構成を示す図である。
【図５】ディスプレイ装置によるゲートドライブ動作を示す図である。
【図６】ディスプレイ装置によるゲートドライブ動作を示す図である。
【符号の説明】
【００６２】
１  ディスプレイ装置
３  表示部
５  データドライバ回路
７  ゲートドライバ回路
９  制御回路
１１  データドライバユニット
１３  ゲートドライバユニット
１７  ゲート制御パルス供給部
ＤＬ  データライン
ＧＬ  ゲートライン
【図１】
2008197324.tif 000003
【図２】
2008197324.tif 000004
【図３】
2008197324.tif 000005
【図４】
2008197324.tif 000006
【図５】
2008197324.tif 000007
【図６】
2008197324.tif 000008